(57)【要約】【課題】標識シールをコンクリート面に貼り付けて、通常の使用状態では剥がれないようにすると共に、階段や駅プラットホーム等の危険区域のボーダーラインとして明確に認識できるようにした視力障害者用歩行路標識シートを提供する。【解決手段】下面を貼着面とした細長いアルミニウム若しくは熱可塑性樹脂シートと、該熱可塑性樹脂シートの表面巾方向中央部の黄色標識帯を巾方向両側の黒色標識帯で挟んだ標識部と、該標識部の上面に積層した表面に微細な凹凸部を形成した透明熱可塑性樹脂シートと、該透明熱可塑性樹脂シートの上面に塗布した耐磨耗性の透明有機コーティング層とを具備し、その厚さを１ｍｍ以下とした。【選択図】　　　　図２
2004137872.tif 000002
【特許請求の範囲】
【請求項１】
下面を貼着面とした細長いアルミニウム若しくは熱可塑性樹脂シートと、該シートの表面巾方向中央部の幅広黄色標識帯を巾方向両側の幅狭黒色標識帯で挟んだ標識部と、該標識部の上面に積層した表面に微細な凹凸部を形成した透明熱可塑性樹脂シートと、該透明熱可塑性樹脂シートの上面に塗布した耐磨耗性の透明コーティング層とを具備し、その貼着状態の厚さを１ｍｍ以下としたことを特徴とする視力障害者用歩行路標識シート。
【請求項２】
前記幅広黄色標識帯を、幅広黄色標識帯と幅狭黄色若しくは赤色標識帯とを第二の幅狭黒色標識帯を介して隣接した標識帯に形成してなる請求項１記載の標識シート。
【請求項３】
前記標識部を形成した薄い熱可塑性樹脂シートと、前記微細な凹凸面を形成した透明熱可塑性樹脂シートとを同材質で形成し、両者を加熱して貼着させてなる請求項１または２に記載の標識シート。
【請求項４】
前記貼着状態の厚さが、０．５〜１．０ｍｍである請求項１〜３のいずれかに記載の標識シート。
【発明の詳細な説明】
【０００１】
【発明が属する技術分野】
この発明は、階段のステップ、駅のプラットホーム等の危険区域に貼着させて視力障害者の安全を確保するための視力障害者用歩行路標識シート（ボーダー　アンド　セーフティー　ライン）に係り、詳記すれば、剥がれ難く且つ著しく使用寿命を向上させると共に視認効果を高めた視力障害者用歩行路標識シートに関する。
【０００２】
【従来の技術】
従来から、視力障害者が安全に歩行できるようにするため、黄色の標識テープを階段のステップ、通路等に貼着することによって、視力障害者が歩行路を視認し易いようにしている。
【０００３】
しかしながら、この黄色テープを階段のステップの縁部に貼着させて使用した場合、視力障害者が上から見下ろした時に各ステップの標識テープが連続した平面状若しくはスロープ状に見えてしまって、各ステップの縁部を明瞭に識別できない問題があった。
【０００４】
このような問題を解決するため、全面に黒色遮断部を形成したシート状基材の巾方向中心に、短冊状の黄色標識部と赤色標識部とを間隔付けて配設した歩行路標識シールが提案されている（実公平７−３４２７号公報）。
【０００５】
【発明が解決しようとする課題】
しかしながら、上記歩行路標識シールは、シート状基材に標識部を形成しているので、２ｍｍ前後と厚かったため、視力障害者が縁部に足を引っ掛けたりして、剥がれ易い欠点があった。そのため、業者が剥がれたシールを貼り直さなければならなかったので、この歩行路標識シールがコスト高になる問題があった。これを薄くすれば剥がれ難くなるが、或る程度の厚さがないと、歩行路標識シールが擦り減って耐久性が減少すると考えられていたことから、従来は薄いものでも２ｍｍ前後のものしかなかった。
【０００６】
また、上記公報には、表面に滑り止めの凹凸部を形成したものが記載されているが、黄色標識部と赤色標識部とには、凹凸部は形成されていない。これは、標識部に凹凸部を形成すると、この凹凸部に泥等がこびりついて標識部が識別し難くなるからである。
【０００７】
そればかりか、上記公報に記載のシール標識部は、黄色標識部と赤色標識部とを同一直線上に配設しているので、赤色標識部が泥等で汚れると、同一直線の半分を占める赤色標識部が黒色遮断部と区別し難くなるので、標識の役割を十分発揮しなくなる問題があった。また、この従来の標識を、階段や駅プラットホーム等の危険区域のボーダーラインとして使用すると、一応階段等の段部は識別できるが、階段本体の色とのコントラストが足りなかったので、視野狭乍、低視力、色覚異常、白内障等の視覚障害を持つものにとっては、階段の始まりや一段一段を確認しながらの利用は極めて大変なことであった。また、プラットホームなどでは、そのボーダーラインの識別に困難をきたすので、安全上問題であった。
【０００８】
この発明は、このような従来の問題点を一挙に解決しようとするものであり、標識シールをコンクリート面と一体となるように貼り付けて、通常の使用状態では剥がれないようにすると共に、階段や駅プラットホーム等の危険区域のボーダーラインとして明確に認識できるようにした視力障害者用歩行路標識シールを提供することを目的とする。
【０００９】
【課題を解決するための手段】
上記目的に沿う本発明の構成は、下面を貼着面とした細長いアルミニウム若しくは熱可塑性樹脂シートと、該熱可塑性樹脂シートの表面巾方向中央部の幅広黄色標識帯を巾方向両側の幅狭黒色標識帯で挟んだ標識部と、該標識部の上面に積層した表面に微細な凹凸部を形成した透明熱可塑性樹脂シートと、該透明熱可塑性樹脂シートの上面に塗布した耐磨耗性の透明コーティング層とを具備し、その厚さを１ｍｍ以下としたことを特徴とする。尚、１ｍｍ以下というのは、剥離紙を除いた部分の厚さ（貼着させた状態の厚さ）が１ｍｍ以下という意味である。
【００１０】
要するに本発明は、表面全体を微細な凹凸部に形成し、全体的に薄く且つ下部が重くなるようにして、コンクリート面に吸い付くように貼着させ、通常の使用状態では剥がれないようにしたほか、凹凸部に泥等が入り込んでも、コーティング層を形成したことによって、水で容易に除去できるようにすると共に、巾の広い黄色帯を巾の狭い黒色帯で挟むことによって、黄色を際立たせ、視認効果を大きくしたことを要旨とするものである。
【００１１】
幅広黄色標識帯を、幅広黄色標識帯と幅狭黄色若しくは赤色標識帯とを第二の幅狭黒色標識帯を介して隣接した標識帯に形成すると、視認効果を更に高めることができる（請求項２）。このようにしても、赤色標識帯と幅広黄色標識帯とは同一直線上にないので、赤色標識帯が泥等で汚れても、従来のように標識の役割を十分発揮しなくなる問題は生じない。
【００１２】
標識部を形成した薄い熱可塑性樹脂シートと、微細な凹凸面を形成した透明熱可塑性樹脂シートとを同材質で形成し、両者を加熱して貼着させることによって強固に形成することができる（請求項３）。
【００１３】
本発明の効果の原因は、下記の点にあると考えられている。
（１）本発明のシートが剥がれ難くなるのは、標識部を形成したシートを直接コンクリート面に当るように形成させ、その上に表面に微細な凹凸部を形成したシートを積層することによって、極めて薄く形成することを可能にし且つ重心を低くしたことにある。このように薄く形成しても、表面に耐磨耗性のコーティング層を形成することによって、磨耗を防止して耐久性を向上させると共に凹凸部が滑らかになるので、凹凸部に付着した泥等を水で容易に除去できる。
（２）幅広黄色標識帯と幅狭黄色若しくは赤色標識帯とを第二の幅狭黒色標識帯を介して隣接した標識帯に形成すると、黄色の標識が際立つ結果、視力障害者が容易にボーダーラインを視認することができ、安全性が著しく向上する。
【００１４】
【発明の実施の形態】
次に、本発明の実施の形態を説明する。
【００１５】
図１は、本発明の一実施例を示すものであり、図２は、図１のＡ―Ａ断面図（凹凸部は実際より遥かに拡大して表示した）である。
【００１６】
剥離紙（ライナー紙）１に接着剤２によって、標識部を形成したアルミニウム若しくは熱可塑性樹脂シート３が貼着されている。接着剤２としては、コンクリート等の接着に使用する公知の強力な接着剤を使用すると良い。
【００１７】
本発明に使用する熱可塑性樹脂シート３としては、ポリオレフィン、ポリ塩化ビニル等が挙げられる。熱可塑性樹脂シート３には、図１に示すように、幅広の黄色帯４と幅狭な黄色帯５とが、幅狭黒色帯６を挟んで印刷されている。幅方向両側部には、幅狭黒色帯７，８が印刷されている。上記実施例では、長さ３５０ｍｍ、幅６５ｍｍ、幅広の黄色帯４の幅３３ｍｍ、幅狭の黄色帯５の幅３ｍｍ、両側部の幅狭黒色帯７が幅１２ｍｍ、８が幅１０ｍｍ、幅広の黄色帯４と幅狭な黄色帯５との間の幅狭黒色帯６が幅７ｍｍとした。上記黄色帯と黒色帯とは、塗膜によって形成しても良いが、厚さを薄くするため、上記のように印刷によるのが良い。
【００１８】
熱可塑性樹脂シート３には、表面に微細な凹凸部（粗面）を形成した熱可塑性樹脂シート９がラミネートされている。熱可塑性樹脂シート９としては、ポリオレフィン、塩化ビニル、ポリエステル等を使用することができる。ラミネートは、熱可塑性樹脂シート３と同材質の熱可塑性樹脂（例えば両材質を塩化ビニルとする）を使用し、加熱融着させることにより行うのが好ましい。
【００１９】
熱可塑性樹脂シート９の上面には、耐磨耗性有機コーティング層１０が形成されている。耐磨耗性有機コーティング層１０を形成するには、通常の方法により熱可塑性樹脂シート９の上面に、耐磨耗性有機コーティング液を塗布し、常法によって加熱硬化させれば良い。耐磨耗性有機コーティング液としては、公知の耐磨耗性有機コーティング液を使用すれば良い。
【００２０】
図２に示すように、本発明の歩行路標識シートの厚さは、接着剤２、熱可塑性樹脂シート３、凹凸部（粗面）を形成した熱可塑性樹脂シート９及び耐磨耗性有機コーティング層１０の合計の厚さが、１ｍｍ以下、好ましくは０．５〜１．０ｍｍとする。
【００２１】
図３は、本発明の歩行路標識シートを、階段の段部に貼着させた状態を示すものであり、幅狭黄色標識帯５を幅狭黒色標識帯７と第２の幅狭黒色標識帯６とで挟んだ標識部が、危険区域のボーダー部に向くように貼着させている。
【００２２】
上記実施例では、階段の段部の幅方向長さが高さに比べて大きいので、上記のように貼着させているが、逆に階段の段部の幅方向長さが高さに比べて短い場合は、幅広の黄色帯４が危険区域のボーダー部に向くように貼着させるのが良い。階段の段部の幅方向長さが高さに比べて短い場合に、図３のように貼着させると、上から見た場合に、幅狭黄色標識帯５を幅狭黒色標識帯７と第２の幅狭黒色標識帯６とで挟んだ標識部が、１本の直線のように見えるからである。
【００２３】
本発明の歩行路標識シートは、幅広黄色標識帯を幅狭黒色標識帯で挟んだ標識部を有するが、黄色は視覚障害者だけでなく、健常者にも目立つので、健常者にとっても役立つものである。
【００２４】
従来の歩行路標識シートは、階段の段部に貼着させて１ヶ月もすると一部剥がれが生じたが、本発明の歩行路標識シートは、多数の人間が昇降する階段段部に貼着させて７ヶ月経過しても、全く剥がれが生じないことが実験により確認されている。
【００２５】
本発明の歩行路標識シートを階段に貼着させると、視覚障害者は、一段一段を確認しながら昇降するのが容易となるので、従来の歩行路標識シートを貼着させた場合よりも早く通過できることが、実験により確認されている。
【００２６】
【発明の効果】
以上述べた如く、本発明によれば、薄く且つ重心を低く形成したことによって、吸い付くようにコンクリート面に貼着するので、通常の使用状態では剥がれなくなるから、従来と比べて施工コストが大幅に減少する。
【００２７】
また、幅広黄色標識部を幅狭黒色標識部で挟み、且つ巾狭黄色若しくは赤色帯を幅狭黒色標識帯で挟んだ標識部を形成すると、標識が際立つ結果、視力障害者が容易にボーダーラインを視認することができ、安全性が著しく向上する。
【図面の簡単な説明】
【図１】本発明の一実施例を示す平面図である。
【図２】図１のＡ―Ａ断面図である。
【図３】本発明の歩行路標識シートの使用状態を示す斜視図である。
【符号の説明】
１……剥離紙（ライナー紙）
２……接着剤
３……アルミニウム若しくは熱可塑性樹脂シート
４……幅広の黄色帯
５……幅狭の黄色帯
６……幅狭黒色帯
７，８……両側部の幅狭黒色帯
９……凹凸部を形成した熱可塑性樹脂シート
１０……耐磨耗性コーティング層
【図１】
2004137872.tif 000003
【図２】
2004137872.tif 000004
【図３】
2004137872.tif 000005
【手続補正書】
【提出日】平成15年5月28日(2003.5.28)
【手続補正１】
【補正対象書類名】明細書
【補正対象項目名】全文
【補正方法】変更
【補正の内容】
【特許請求の範囲】
【請求項１】下面を貼着面とした細長い熱可塑性樹脂シートと、該シートの表面巾方向中央部の幅広黄色標識帯を巾方向両側の幅狭黒色標識帯で挟んだ標識部と、該標識部の上面に積層した表面に微細な凹凸部を形成した透明熱可塑性樹脂シートと、該透明熱可塑性樹脂シートの上面に塗布した耐磨耗性の透明コーティング層とを具備し、前記標識部を形成した薄い熱可塑性樹脂シートと、前記微細な凹凸面を形成した透明熱可塑性樹脂シートとを同材質で形成し、両者を加熱して貼着させてなり、標識シートの貼着状態の厚さを１ｍｍ以下としたことを特徴とする視力障害者用歩行路標識シート。
【請求項２】前記幅広黄色標識帯を、幅広黄色標識帯と幅狭黄色若しくは赤色標識帯とを第二の幅狭黒色標識帯を介して隣接した標識帯に形成してなる請求項１記載の標識シート。
【請求項３】前記薄い熱可塑性樹脂シートと、前記透明熱可塑性樹脂シートとが、いずれも塩化ビニル樹脂である請求項１又は２記載の標識シート。
【請求項４】前記貼着状態の厚さが、０．５〜１．０ｍｍである請求項１〜３のいずれかに記載の標識シート。
【発明の詳細な説明】
【０００１】
【発明が属する技術分野】
この発明は、階段のステップ、駅のプラットホーム等の危険区域に貼着させて視力障害者の安全を確保するための視力障害者用歩行路標識シート（ボーダー　アンド　セーフティー　ライン）に係り、詳記すれば、剥がれ難く且つ著しく使用寿命を向上させると共に視認効果を高めた視力障害者用歩行路標識シートに関する。
【０００２】
【従来の技術】
従来から、視力障害者が安全に歩行できるようにするため、黄色の標識テープを階段のステップ、通路等に貼着することによって、視力障害者が歩行路を視認し易いようにしている。
【０００３】
しかしながら、この黄色テープを階段のステップの縁部に貼着させて使用した場合、視力障害者が上から見下ろした時に各ステップの標識テープが連続した平面状若しくはスロープ状に見えてしまって、各ステップの縁部を明瞭に識別できない問題があった。
【０００４】
このような問題を解決するため、全面に黒色遮断部を形成したシート状基材の巾方向中心に、短冊状の黄色標識部と赤色標識部とを間隔付けて配設した歩行路標識シールが提案されている（実公平７−３４２７号公報）。
【０００５】
【発明が解決しようとする課題】
しかしながら、上記歩行路標識シールは、シート状基材に標識部を形成しているので、２ｍｍ前後と厚かったため、視力障害者が縁部に足を引っ掛けたりして、剥がれ易い欠点があった。そのため、業者が剥がれたシールを貼り直さなければならなかったので、この歩行路標識シールがコスト高になる問題があった。これを薄くすれば剥がれ難くなるが、或る程度の厚さがないと、歩行路標識シールが擦り減って耐久性が減少すると考えられていたことから、従来は薄いものでも２ｍｍ前後のものしかなかった。
【０００６】
また、上記公報には、表面に滑り止めの凹凸部を形成したものが記載されているが、黄色標識部と赤色標識部とには、凹凸部は形成されていない。これは、標識部に凹凸部を形成すると、この凹凸部に泥等がこびりついて標識部が識別し難くなるからである。
【０００７】
そればかりか、上記公報に記載のシール標識部は、黄色標識部と赤色標識部とを同一直線上に配設しているので、赤色標識部が泥等で汚れると、同一直線の半分を占める赤色標識部が黒色遮断部と区別し難くなるので、標識の役割を十分発揮しなくなる問題があった。また、この従来の標識を、階段や駅プラットホーム等の危険区域のボーダーラインとして使用すると、一応階段等の段部は識別できるが、階段本体の色とのコントラストが足りなかったので、視野狭乍、低視力、色覚異常、白内障等の視覚障害を持つものにとっては、階段の始まりや一段一段を確認しながらの利用は極めて大変なことであった。また、プラットホームなどでは、そのボーダーラインの識別に困難をきたすので、安全上問題であった。
【０００８】
この発明は、このような従来の問題点を一挙に解決しようとするものであり、標識シールをコンクリート面と一体となるように貼り付けて、通常の使用状態では剥がれないようにすると共に、階段や駅プラットホーム等の危険区域のボーダーラインとして明確に認識できるようにした視力障害者用歩行路標識シールを提供することを目的とする。
【０００９】
【課題を解決するための手段】
上記目的に沿う本発明の構成は、下面を貼着面とした細長い熱可塑性樹脂シートと、該シートの表面巾方向中央部の幅広黄色標識帯を巾方向両側の幅狭黒色標識帯で挟んだ標識部と、該標識部の上面に積層した表面に微細な凹凸部を形成した透明熱可塑性樹脂シートと、該透明熱可塑性樹脂シートの上面に塗布した耐磨耗性の透明コーティング層とを具備し、前記標識部を形成した薄い熱可塑性樹脂シートと、前記微細な凹凸面を形成した透明熱可塑性樹脂シートとを同材質で形成し、両者を加熱して貼着させてなり、標識シートの貼着状態の厚さを１ｍｍ以下としたことを特徴とする。尚、１ｍｍ以下というのは、剥離紙を除いた部分の厚さ（貼着させた状態の厚さ）が１ｍｍ以下という意味である。
【００１０】
要するに本発明は、表面全体を微細な凹凸部に形成し、全体的に薄く且つ下部が重くなるようにして、コンクリート面に吸い付くように貼着させ、通常の使用状態では剥がれないようにしたほか、凹凸部に泥等が入り込んでも、コーティング層を形成したことによって、水で容易に除去できるようにすると共に、巾の広い黄色帯を巾の狭い黒色帯で挟むことによって、黄色を際立たせ、視認効果を大きくしたことを要旨とするものである。
【００１１】
幅広黄色標識帯を、幅広黄色標識帯と幅狭黄色若しくは赤色標識帯とを第二の幅狭黒色標識帯を介して隣接した標識帯に形成すると、視認効果を更に高めることができる（請求項２）。このようにしても、赤色標識帯と幅広黄色標識帯とは同一直線上にないので、赤色標識帯が泥等で汚れても、従来のように標識の役割を十分発揮しなくなる問題は生じない。
【００１２】
本発明の効果の原因は、下記の点にあると考えられている。
（１）本発明のシートが剥がれ難くなるのは、標識部を形成したシートを直接コンクリート面に当るように形成させ、その上に表面に微細な凹凸部を形成したシートを積層することによって、極めて薄く形成することを可能にし且つ重心を低くしたことにある。このように薄く形成しても、表面に耐磨耗性のコーティング層を形成することによって、磨耗を防止して耐久性を向上させると共に凹凸部が滑らかになるので、凹凸部に付着した泥等を水で容易に除去できる。
（２）幅広黄色標識帯と幅狭黄色若しくは赤色標識帯とを第二の幅狭黒色標識帯を介して隣接した標識帯に形成すると、黄色の標識が際立つ結果、視力障害者が容易にボーダーラインを視認することができ、安全性が著しく向上する。
【００１３】
【発明の実施の形態】
次に、本発明の実施の形態を説明する。
【００１４】
図１は、本発明の一実施例を示すものであり、図２は、図１のＡ―Ａ断面図（凹凸部は実際より遥かに拡大して表示した）である。
【００１５】
剥離紙（ライナー紙）１に接着剤２によって、標識部を形成した熱可塑性樹脂シート３が貼着されている。接着剤２としては、コンクリート等の接着に使用する公知の強力な接着剤を使用すると良い。
【００１６】
本発明に使用する熱可塑性樹脂シート３としては、ポリオレフィン、ポリ塩化ビニル等が挙げられる。熱可塑性樹脂シート３には、図１に示すように、幅広の黄色帯４と幅狭な黄色帯５とが、幅狭黒色帯６を挟んで印刷されている。幅方向両側部には、幅狭黒色帯７，８が印刷されている。上記実施例では、長さ３５０ｍｍ、幅６５ｍｍ、幅広の黄色帯４の幅３３ｍｍ、幅狭の黄色帯５の幅３ｍｍ、両側部の幅狭黒色帯７が幅１２ｍｍ、８が幅１０ｍｍ、幅広の黄色帯４と幅狭な黄色帯５との間の幅狭黒色帯６が幅７ｍｍとした。上記黄色帯と黒色帯とは、塗膜によって形成しても良いが、厚さを薄くするため、上記のように印刷によるのが良い。
【００１７】
熱可塑性樹脂シート３には、表面に微細な凹凸部（粗面）を形成した熱可塑性樹脂シート９がラミネートされている。熱可塑性樹脂シート９としては、ポリオレフィン、塩化ビニル、ポリエステル等を使用することができる。ラミネートは、熱可塑性樹脂シート３と同材質の熱可塑性樹脂（例えば両材質を塩化ビニルとする）を使用し、加熱融着させることにより行う。
【００１８】
熱可塑性樹脂シート９の上面には、耐磨耗性有機コーティング層１０が形成されている。耐磨耗性有機コーティング層１０を形成するには、通常の方法により熱可塑性樹脂シート９の上面に、耐磨耗性有機コーティング液を塗布し、常法によって加熱硬化させれば良い。耐磨耗性有機コーティング液としては、公知の耐磨耗性有機コーティング液を使用すれば良い。
【００１９】
図２に示すように、本発明の歩行路標識シートの厚さは、接着剤２、熱可塑性樹脂シート３、凹凸部（粗面）を形成した熱可塑性樹脂シート９及び耐磨耗性有機コーティング層１０の合計の厚さが、１ｍｍ以下、好ましくは０．５〜１．０ｍｍとする。
【００２０】
図３は、本発明の歩行路標識シートを、階段の段部に貼着させた状態を示すものであり、幅狭黄色標識帯５を幅狭黒色標識帯７と第２の幅狭黒色標識帯６とで挟んだ標識部が、危険区域のボーダー部に向くように貼着させている。
【００２１】
上記実施例では、階段の段部の幅方向長さが高さに比べて大きいので、上記のように貼着させているが、逆に階段の段部の幅方向長さが高さに比べて短い場合は、幅広の黄色帯４が危険区域のボーダー部に向くように貼着させるのが良い。階段の段部の幅方向長さが高さに比べて短い場合に、図３のように貼着させると、上から見た場合に、幅狭黄色標識帯５を幅狭黒色標識帯７と第２の幅狭黒色標識帯６とで挟んだ標識部が、１本の直線のように見えるからである。
【００２２】
本発明の歩行路標識シートは、幅広黄色標識帯を幅狭黒色標識帯で挟んだ標識部を有するが、黄色は視覚障害者だけでなく、健常者にも目立つので、健常者にとっても役立つものである。
【００２３】
従来の歩行路標識シートは、階段の段部に貼着させて１ヶ月もすると一部剥がれが生じたが、本発明の歩行路標識シートは、多数の人間が昇降する階段段部に貼着させて７ヶ月経過しても、全く剥がれが生じないことが実験により確認されている。
【００２４】
本発明の歩行路標識シートを階段に貼着させると、視覚障害者は、一段一段を確認しながら昇降するのが容易となるので、従来の歩行路標識シートを貼着させた場合よりも早く通過できることが、実験により確認されている。
【００２５】
【発明の効果】
以上述べた如く、本発明によれば、薄く且つ重心を低く形成したことによって、吸い付くようにコンクリート面に貼着するので、通常の使用状態では剥がれなくなるから、従来と比べて施工コストが大幅に減少する。
【００２６】
また、幅広黄色標識部を幅狭黒色標識部で挟み、且つ巾狭黄色若しくは赤色帯を幅狭黒色標識帯で挟んだ標識部を形成すると、標識が際立つ結果、視力障害者が容易にボーダーラインを視認することができ、安全性が著しく向上する。
【図面の簡単な説明】
【図１】本発明の一実施例を示す平面図である。
【図２】図１のＡ―Ａ断面図である。
【図３】本発明の歩行路標識シートの使用状態を示す斜視図である。
【符号の説明】
１……剥離紙（ライナー紙）
２……接着剤
３……熱可塑性樹脂シート
４……幅広の黄色帯
５……幅狭の黄色帯
６……幅狭黒色帯
７，８……両側部の幅狭黒色帯
９……凹凸部を形成した熱可塑性樹脂シート
１０……耐磨耗性コーティング層